(57)【要約】【課題】  袋を有しつつ、製品本体の伸縮性には影響を与えることがないようにする。【解決手段】  サポータは、製品本体（サポータ本体）１から連続する丸編みニットで開口部を有する袋Ｐ１が形成され、この袋Ｐ１に関節を保護するパッド（収納部品）６が収納され、袋Ｐ１の開口部が袋生地の間で縫合されることにより閉塞されて、筒状の製品本体１の内側に配されている。【選択図】  図４
2011026749.tif 000002
【特許請求の範囲】
【請求項１】
製品本体が丸編みニットで筒状に形成され人体の一部を挿通させる入口と出口を有する腹巻・ガードル・サポータ等の丸編みニット製品において、
製品本体から連続する丸編みニットで開口部を有する袋が形成され、この袋に所定の収納部品が収納され、袋の開口部が袋生地の間で縫合されるか又は製品本体の生地の間で縫合されることにより閉塞されて、筒状の製品本体の内側に配されていることを特徴とする袋付き丸編みニット製品。
【請求項２】
前記所定の収納部品が、関節を保護するパッド、筋肉をその外部から押圧する押圧部材、凝りをほぐす磁石、保冷剤、保温剤、消臭剤、抗菌剤、防臭剤、香料等の臭い発散剤のうちのいずれか１種以上であることを特徴とする請求項１に記載の袋付き丸編みニット製品。
【請求項３】
前記所定の収納部品が、関節を保護するパッドであるか、又は、筋肉をその外部から押圧する押圧部材であり、前記袋が関節又は筋肉に沿うように所定間隔で複数配されているか、又は前記袋が関節又は筋肉に沿うように所定形状で配されていることを特徴とする請求項２記載の袋付き丸編みニット製品。
【請求項４】
前記製品本体の丸編みニットと前記袋の丸編みニットとで伸縮性が異なる糸を使用するか又は伸縮性が異なる編み方で形成されていることを特徴とする請求項１記載の袋付き丸編みニット製品。
【請求項５】
前記袋の先端側と筒状の製品本体の内側とが一部連結されていることを特徴とする請求項１記載の袋付き丸編みニット製品。
【発明の詳細な説明】
【技術分野】
【０００１】
本発明は、人体の一部を挿通させる入口と出口を有する腹巻・ガードル・サポータ等の丸編みニット製品に関する。
【背景技術】
【０００２】
一般に、背広やワイシャツ等には、所定箇所にポケットが設けられている。また、ズボンやスカート等の丸編みニット製品にも所定箇所にポケットが設けられている。これらのポケットは、一般に、製品本体とは別の生地が使用されて製品本体に縫合される。
【０００３】
一方、サポータには、膝や肘などの関節を保護するパッド（クッション材）や筋肉を押し付ける押圧部材を有するものや、筋肉などの所定箇所を押圧する押圧部材が所定箇所に設けられているものがある（特許文献１〜４等）。特許文献１はパッドを有するサポータであり、特許文献２はパッドの他に押圧部材を有するサポータであり、特許文献３はポケットを有するスポーツ用衣服であり、特許文献３は保温パッドが入れられた袋付き丸編みニット製品である。これらは、所定のポケット等のスペースを形成して入れられるものもあるが、筒状のサポータ本体の表面側や裏面側にパッドを当てて、その上から布で覆って、布とサポータ本体とを全体的に縫い合わせをするものも多い。
なお、靴下に関しては、靴下本体の脚部にポケットを形成したポケット付き靴下や（特許文献５）、ポケット付き靴下のポケットにプロテクタを挿入する提案がなされている（特許文献６）。
【先行技術文献】
【特許文献】
【０００４】
【特許文献１】実用新案登録第３１０８４９１号公報
【特許文献２】特開２００８−１７３１７９号公報
【特許文献３】特開２００７−１０７１７６号公報
【特許文献４】特開２００３−７３９０９号公報
【特許文献５】実開昭５９−３７３０７号公報
【特許文献６】特開平１０−２８０２０２号公報
【発明の開示】
【発明が解決しようとする課題】
【０００５】
しかしながら、製品本体の外側にポケットを縫合により形成するときは、製品本体にポケットを取り付ける開口部を形成してから、ポケットの取り付け作業が別工程で必要になり、縫合の仕方によっては、製品本体やポケットにシワ等を発生させる場合がある。また、衣類には、磁気作用や遠赤外線作用を発揮させるような小物（収納部品）が入れられるポケットを備えるものがあるが、ポケットに収納する収納部品（小物）によっては伸縮性が異なることが良い場合がある。例えば、膝や肘等の関節を保護するパッドが設けられているものでは、パッドの移動を防止するために、その伸縮性でパッドを移動しないようにすることが好ましい。また、スパッツや肌着等では締め付け力が部分的に異なるものが発揮されるテーピング効果を有するものが開発されているが、そこにポケットを設けると、その部分的に異なる締め付け力が発揮されなくなる場合がある。
一方、パッドを有するサポータの製造においては、パッドを膝蓋骨が当接する位置等に配置させる場合、上記従来公報のポケットを備えるものや、その位置にパッドを当てて、その上から布を重ねて、布の外周とサポータ本体とを縫合することが多い。しかし、このような作業では効率的でないばかりか、ポケットと衣類等の本体との各々の伸縮性は考慮されておらず、製品本体に対する伸縮性に悪影響を及ぼしてしまう問題を有する。すなわち、製品本体に形成したポケットにパッドを入れたり、製品本体にパッドを当ててから布で覆ってポケットの外周や布とサポータ本体とを全体的に縫い合わせてしまうと、サポータ本体の本来の伸縮性が発揮され難くなるという問題を有する。
【０００６】
そこで、本発明の目的は、製品本体の伸縮性には影響を与えることがないようにする袋付き丸編みニット製品を提供することにある。
【課題を解決するための手段】
【０００７】
本発明の袋付き丸編みニット製品は、製品本体が丸編みニットで筒状に形成され人体の一部を挿通させる入口と出口を有する腹巻・ガードル・サポータ等の丸編みニット製品において、製品本体から連続する丸編みニットで開口部を有する袋が形成され、この袋に所定の収納部品が収納され、袋の開口部が袋生地の間で縫合されるか又は製品本体の生地の間で縫合されることにより閉塞されて、筒状の製品本体の内側に配されていることを特徴とする。ここで、本願における袋とは、収納部品を収納して袋の口を閉じるように作ったものを指しており、開口部を有するポケットとは、異なるものとして取り扱う。
本発明によれば、袋が製品本体から連続する丸編み機等による丸編みニットでポケット状に一度に形成される。また、この袋は製品本体の内側に配されているので、袋に小物類（収納部品）を入れても、外部からは認識し難くなる。そして、袋の開口部が袋生地の間で縫合されるか又は製品本体の生地の間で縫合されるとともに、開口部以外ではポケット状の袋が製品本体と縫合されていないことにより（連結されていないことにより、つまり縫合部がない。）、袋の存在が製品本体の伸縮性には影響を与えることが少ないものとなる。
【０００８】
本発明としては、前記製品本体の丸編みニットと前記袋の丸編みニットとで伸縮性が異なる糸を使用するか又は伸縮性が異なる編み方で形成されていることが好ましい。ここで、伸縮性が異なる編み方には、編み目の大きさ等を変えることによる編み方の他、例えば、袋が一重構造であって製品本体が多重構造であるような場合も含む。
本発明によれば、製品本体と袋の伸縮性が異なり、つまり製品本体は袋の伸縮性に左右され難いものとなる。また、例えば、袋に重い物が入れられる場合には、伸縮性の小さな糸や編み方で形成すれば、袋に重い物が入れられても、製品本体にシワ等を発生し難くすることができる。
【０００９】
本発明は、前記所定の収納部品が、関節を保護するパッド、筋肉をその外部から押圧する押圧部材、凝りをほぐす磁石、保冷剤、保温剤、消臭剤、抗菌剤、防臭剤、香料等の臭い発散剤のうちのいずれか１種以上であることを特徴とする。ここで、磁石とは磁気作用を発揮するものを広く含み、保冷剤とは人体の一部からの発熱を抑えるために用いられる薬剤であって蓄冷剤とも称されるものであり、保温剤とは人体の一部に対する保温機能を有する薬剤であって恒久的（半永久的）なものを主に指し、香料等の臭い発散剤とは製品本体に香りをつけるために添加されるものであって香辛料、薫香料、化粧料や臭い袋を含むものである。
本発明によれば、パッド・押圧部材等の収納部品が袋に入れられて袋の口が縫合されているので、収納部品の位置がずれ難い。
【００１０】
本発明としては、前記所定の収納部品が、関節を保護するパッドであるか、又は、筋肉をその外部から押圧する押圧部材であり、前記袋が関節又は筋肉に沿うように所定間隔で複数配されているか、又は前記袋が関節又は筋肉に沿うように所定形状で配されていることが好ましい。
本発明によれば、前記袋に収納されたパッドによって関節を効果的に保護することができる他、前記袋に収納された押圧部材によって筋肉をその外部から効果的に押圧することができる。
【００１１】
本発明は、前記袋の先端側と製品本体とが一部連結されていることが好ましい。この場合には、前記袋と製品本体とで伸縮性が同じになるか、又、前記袋の方が製品本体よりもその伸縮性が小さいことが好ましい。前記袋と製品本体とで伸縮性が同じになる編み方には、編み目の大きさ等を同じにする編み方の他、例えば、袋と製品本体とで糸の種類を同じにしたり、袋が一重構造であって製品本体も一重構造であるような場合も含む。
本発明によれば、前記製品本体の丸編みニットの伸縮性が前記袋の丸編みニットの伸縮性と同じか大きいので、前記袋の先端側を製品本体に一部連結させても問題はなく、前記袋の位置ずれがし難く、前記袋に収納部品を入れるときにも入れ易くなる。
【発明の効果】
【００１２】
本発明によれば、袋の開口部が袋生地の間で縫合されるか又は製品本体の生地の間で縫合され、開口部以外では袋が製品本体と縫合されていないことにより（連結されていないことにより）、袋の存在が製品本体の伸縮性に影響を与えることが少ないものになる。そして特に、パッドや押圧部材等の収納部品が袋に入れられていても、袋が製品本体と連結部以外では連結していないので、サポータ本体の伸縮力に影響がでることを少なくすることができる。すなわち、袋はその伸縮性がそのまま発揮され、製品本体はその伸縮性がそのまま発揮されることとなるので、伸縮性を重要な要素とするサポータに使用すると好適なものとなる。
【図面の簡単な説明】
【００１３】
【図１】本発明の第１の実施形態の袋を有する丸編みサポータを示す断面図であり、図１（ａ）は袋の先端側とサポータ本体の内側とが連結されていない状態の断面図であり、図１（ｂ）は袋の先端側とサポータ本体の内側とが一部連結されている状態の断面図である。
【図２】上記第１の実施形態の袋を有する丸編みサポータを示す図であり、図２（ａ）は上記丸編みサポータの正面図であり、図２（ｂ）は上記丸編みサポータを裏返した状態の側面図であり、図２（ｃ）は上記袋に収納させるパッドの正面図である。
【図３】上記第１の実施形態の袋を有する丸編みサポータの製造途中の状態を示す正面図である。
【図４】上記第１の実施形態の膝への装着状態を示す斜視図である。
【図５】上記第１の実施形態の袋を有する丸編みサポータの製造途中の状態を示す断面図である。
【図６】本発明を適用した第２の実施形態の袋を有する丸編みサポータを示す図であり、図６（ａ）は上記丸編みサポータの右側面図であり、図６（ｂ）は上記丸編みサポータの左側面図であり、図６（ｃ）は右側面側に配された袋に収納させる押圧部材の右側面図であり、図６（ｄ）は左側面側に配された袋に収納させる押圧部材の左側面図である。
【図７】上記第２の実施形態の袋を有する丸編みサポータの模式的な断面図である。
【図８】本発明の第３の実施形態の袋を有する丸編みサポータを示す斜視図である。
【図９】上記第３の実施形態の袋を有する丸編みサポータの模式的な断面図である。
【図１０】本発明の第１の実施形態の袋を有する丸編みサポータの他の実施例を示す斜視図である。
【図１１】本発明の第２の実施形態の袋を有する丸編みサポータの他の実施例を示す斜視図である。
【発明を実施するための形態】
【００１４】
以下、本発明を実施するための形態を図面を引用しながら説明する。
【００１５】
（第１の実施形態）
図１は、本発明を適用した袋Ｐ１を有する丸編みサポータＺ１を示す断面図である。図２は、丸編み機で製品本体１を製造した状態の図である。図２（ａ）は製品本体１の正面図であり、図２（ｂ）は製品本体１を裏返した状態の側面図であり、図２（ｃ）は袋Ｐ１に収納されるパッド６の正面図である。本実施の形態は、関節を保護するためのパッド６を有するサポータＺ１である。このサポータＺ１は、膝用のサポータであり、膝蓋骨を保護するためのパッド６が取り付けられている。
【００１６】
本実施の形態の袋を有する丸編みサポータＺ１は、サポータ本体（製品本体）１に設けられている袋Ｐ１にパッド６が収納されている。サポータ生地１の材質としては、レーヨン、ポリエステル、ナイロン、アクリルなどの繊維に、ゴム質の繊維が織り込まれたり、パイル加工が施されたり、これら繊維が多層構造とされる。パッド６は、衝撃を吸収するための緩衝材であり、ポリウレタン等の合成樹脂製のスポンジ（フォーム）からなる。パッド６は、上辺側が下辺側よりも長い矩形状（台形形状）であり、これによりパッド６を袋Ｐ１に入れ易くなっており、入れた後のパッド６が袋Ｐ１の形状に合うようになっている。
【００１７】
本実施の形態のサポータ本体１は丸編み機で製造されるものであり、二重の円筒状に形成されている。サポータ本体１を二重の円筒状としたのは、内側には肌ざわりを考慮しつつ、表側には肌ざわりと見栄えを考慮する必要があることと、二重にして膝蓋骨周囲の膝部分を含めた脚部を十分に保護する必要があるからである。本実施の形態の袋Ｐ１は開口部Ｐａを一つ有するものであり、上記丸編み機で一重のポケット状に形成されている。袋Ｐ１を一重のポケット状としたのは、袋Ｐ１がパッド６を収納させ易くするためである。本実施の形態では、サポータ本体１と袋Ｐ１で糸の種類を異ならせているが、同じ糸で二重から一重に変えて伸縮性が異なるようにしたり、編み目を形成するピッチを変更することによって、伸縮性が異なるようにすることが可能である。
【００１８】
本実施の形態では、上記袋Ｐ１も丸編み機で形成されている。丸編み機は、手袋・靴下・Ｔシャツやポロシャツなどのカットソーの生地を丸く筒状に編んでいく機械である。一般に、丸編み機は、図示しないが、シリンダの外周に編針が筒状に配され、その上方側に円盤状のトランスファダイヤルが配され、この円盤状のトランスファダイヤルをシリンダと同期して回転させる構造となっている。
このような丸編み機では、上記サポータ本体１を袋Ｐ１が形成される位置まで丸編みニットで形成し、袋Ｐ１の形成に際しては、上記サポータ本体１の丸編みを一時中断しておきながら袋Ｐ１を丸編みニットで形成し、袋Ｐ１の丸編みが終了すると、一時中断していたサポータ本体１の残りの丸編みを行なうことで、連続的に、袋Ｐ１を有するサポータＺ１を製造する。このように袋Ｐ１を製造すると、外部に袋Ｐ１が飛び出したような状態になる（図２（ｂ））。この袋Ｐ１は、一方側Ｐｏと他方側Ｐｕとが連結部Ｐｓで連結される。符号Ｐｓは、袋Ｐ１の一方側ニットＰｏと他方側ニットＰｕとのニットのピッチ間隔でもある。この袋Ｐ１の形状は、その開口部Ｐａから先端側Ｐｂに向かって徐々にその径が縮まって行くポケット状である。この状態（裏返し状態）で丸編み形成したサポータ本体１をさらに裏返すことで、上記袋Ｐ１が裏側（内側）１ｂに配されることとなる（図２（ａ））。上記袋Ｐ１の大きさは、丸編み機で作られたときは、サポータＺ１の正面側の大きさの１／４程度であるが、パッド６を収納すると、サポータＺ１の正面側の大きさの１／２程度の大きさになる。上記袋Ｐの開口部Ｐａは、サポータＺ１の上方側に形成され、筒状のサポータ本体１の内側に配されて下方へと垂れ下がるようになる。
【００１９】
本実施の形態の袋を有する丸編みニット製品Ｚ１では、丸編み機で作られたときは、袋Ｐ１は筒状のサポータ本体１の外側に飛び出たように形成されるため、筒状のサポータ本体１を裏返すと、袋Ｐ１も筒状のサポータ本体１の裏側（内側）１ｂに位置する。この状態では、外部からは袋Ｐ１の開口部Ｐａだけが認識できる状態となる（図３）。そして、開口部Ｐａからパッド６を入れ、開口部Ｐａを縫合する。パッド６は、長さの長い上辺側６ａが上方で、短い下辺側６ｂが下方となるようにして袋Ｐ１に収納される（図２（ａ））。
【００２０】
本実施の形態の袋Ｐ１は、サポータ本体１と同じ糸を使用した丸編みニットで連続的に形成しているが、袋Ｐ１の編み目をサポータ本体１の編み目よりも小さくして形成している。これにより、サポータ本体１よりも伸縮性が大きくなるようにしている。この袋Ｐ１の大きさは、膝蓋骨の大きさ程度の大きさであり、上記パッド６よりも小さい。これは、袋Ｐ１の大きさがパッド６よりも大きいと、袋Ｐ１の中でパッド６が移動するおそれがあるが、袋Ｐ１の大きさをパッド６よりも小さくすることで、袋Ｐ１の中でパッド６が移動することがない。本実施の形態の袋Ｐ１は、袋Ｐ１の開口部Ｐａがサポータ生地１ｃ間で縫合されている（図３、図４）。本実施の形態では、袋生地とサポータ生地（製品生地）とで糸が異なるものを使用しているので、袋生地かサポータ本体１の生地１ｃかの見極めは容易である。袋の生地Ｐｃで縫合することも可能であるが（図５）、外部から袋生地Ｐｃが見えると好ましくないことや、サポータ生地１ｃの伸縮性に悪影響を与えないようにするために、本実施の形態ではサポータ生地１ｃ，１ｃ間で縫合している。
上述の丸編み機で製造したサポータＺ１を裏返すと図３に示す状態となり、この状態の袋Ｐ１の開口部Ｐａからパッド６を入れて、開口部Ｐａをサポータ本体１の生地１ｃ，１ｃ間で縫合する。符号Ｎ１は、このときの縫合部である。ここで、図５に示すように、パッド６を入れ易くするために、ポケット状の袋Ｐ１の先端側Ｐｂをサポータ本体１と縫合した状態にしてから開口部Ｐａを縫合しても良い。このときの袋Ｐ１の先端側Ｐｂとサポータ本体１との縫合部Ｎ２は、そのまま残しても良いが、本実施の形態では、縫合部Ｎ２を除去して袋Ｐ１の先端側Ｐｂとサポータ本体１とを連結させないことにより、サポータ本体１の伸縮性には影響を与えないようにしている（図１（ａ））。
【００２１】
したがって、本実施の形態の袋を有する丸編みサポータＺ１を膝に装着して使用する場合は、筒状の膝用サポータと同じように装着して使用する。このとき、袋Ｐ１はサポータ本体１と連結部（開口部Ｐａ）以外では連結していないので、サポータ本体１の伸縮力に影響がでることは少ない。また、パッド６がパッド６よりも小さな袋Ｐ１に入れられているので、パッド６の位置がずれるようなこともない。当然ながら、袋Ｐ１の開口部Ｐａが縫合されているので、パッド６が袋Ｐ１から飛び出すこともない。本実施の形態では、袋Ｐ１の糸はサポータ本体１の糸と異なるものが使用されている。よって、袋Ｐ１の開口部Ｐａを縫合により閉塞するときは、サポータ本体１の生地を互いに縫合することで閉塞させている。これにより、サポータ本体１の伸縮性を発揮させるとともに、外見上も袋Ｐ１の生地（糸）Ｐｃを見えなくしている。
【００２２】
本実施の形態では、袋Ｐ１にパッド６を収納するときには、丸編み形成したサポータ本体１を裏返すことで、袋Ｐ１が筒状のサポータ本体１の内側１ｂに配される。その後、この内側１ｂの袋Ｐ１にパッド６を入れることが好ましい。上記丸編み形成した後の袋が外に飛び出した状態でパッドを入れることも可能であるが、パッド６が大きいとサポータ本体１の裏返しが難しくなる。本実施の形態によれば、丸編み形成したサポータ本体１を裏返した後に、サポータ本体１の内側１ｂの袋Ｐ１にパッド６を入れるので、パッド６の取り付け位置を確認しながら（ずれた場合は修正しながら）収納させることができる（図２（ａ））。そして、パッド６の収納に際しては、袋Ｐ１の先端側Ｐｂをサポータ本体１に仮止め（仮縫い）しておいて（図５）、先端側Ｐｂがずれないようにしてから収納しても良い。なお、仮縫い状態はそのままでも良いが、サポータ本体１の伸縮性を十分に発揮させるためには、仮縫いを外すことが好ましい。
【００２３】
次に、本実施の形態の袋を有する丸編みニット製品Ｚ１を膝に装着して使用する場合は、筒状の膝用サポータと同じように装着して使用する。このとき、袋Ｐ１は、下向きであるから、履くときに（装着するときに）、袋Ｐ１がめくり上がることがない。そして、袋Ｐ１はサポータ本体１と連結部（開口部Ｐａ）以外では連結していないので、サポータ本体１の伸縮力はそのまま発揮される。すなわち、サポータ本体の表面側Ｐｈは、その動き（伸縮性：伸縮する方向を矢印で示す。）がその内側の袋Ｐ１には影響され難いものである（図１（ａ））。換言すると、袋Ｐ１の先端Ｐｂがサポータ本体１と縫合されていないので、パッド６の位置を調節することもできる。他方、袋Ｐ１の先端がサポータ本体１と一部縫合されている場合については、サポータ本体１との縫合はこの先端側のみであるから、サポータ本体１の縦方向の伸縮性が制限されることが仮にあるとしても（図２（ａ）の符号Ｙの方向の伸縮性）、横方向の伸縮性には影響を与えることはない（図２（ａ）の符号Ｘの方向の伸縮性）。なお、図４に示すように、パッド６の下方の辺６ｂに沿うように袋Ｐ１とサポータ本体１とを連結させた場合（縫合部Ｎ２）においても、上記の作用が得られることについては問題ない。
【００２４】
ここで、前記サポータ本体１の丸編みニットと前記袋の丸編みニットとで伸縮性が同じになる編み方で形成されている場合には、図１（ｂ）に示すように、前記ポケット状の袋Ｐ１の先端側Ｐｂとサポータ本体１とを縫合部Ｎ２にて一部連結させても、互いの伸縮性には影響を与えることがない。特に、本実施の形態では、開口部Ｐａから先端側Ｐｂに向かって徐々にその径が小さくなるポケット状の袋Ｐ１の先端側Ｐｂのみを縫合部Ｎ２によって一部連結しているに過ぎないので、図中の符号Ｘ方向でもＹ方向でも各々サポータ本体１の伸縮性には影響がない。このような影響がない場合には、袋Ｐ１とサポータ本体１とで伸縮性が同じになる場合や、袋Ｐ１の方がサポータ本体１よりもその伸縮性が弱い場合も含まれる。
また、上記サポータ本体１が靴下のカットボス編みのように編まれている場合でも本発明が適用可能である。すなわち、カットボス編みとは、地糸の上に別の糸を重ねて編成する場合に、地糸からなる編地の部分的な領域に別の糸を編みこんで編成することをいうが、このような編み方によって、上記サポータ本体１をその部分的に締め付け力を変えることでき、このような場合にも本実施の形態では袋Ｐ１の存在が上記サポータ本体１の伸縮力に影響を与え難い構造であるから、上記サポータ本体１をその部分的に締め付け力を変えることの特徴がより発揮されることとなる。
【００２５】
（第２の実施形態）
図６は、本発明を適用した第２の実施形態の袋Ｐ２を有する丸編みサポータＺ２を示す図である。図６（ａ）は丸編みサポータＺ２の右側面図であり、図６（ｂ）は丸編みサポータＺ２の左側面図であり、図６（ｃ）は丸編みサポータＺ２の右側面側に配された袋Ｐ２に収納させる押圧部材８を示しており、図６（ｄ）は丸編みサポータＺ２の左側面側に配された袋Ｐ２に収納させる押圧部材８を示している。図７は、右側面側と左側面側にそれぞれ配された袋Ｐ２を有する丸編みサポータＺ２の模式的な断面図である。本実施の形態は、筋肉をその外部から押圧する押圧部材８が配されたサポータＺ２である。このサポータＺ２は、ふくらはぎ用のサポータであり、筋肉をその外部から押圧するための押圧部材８が取り付けられている。押圧部材８は、押圧する対象の筋肉の形状に対応させて「く」の字形状となっている。つまり、本実施の形態のサポータＺ２を装着すると、脚の左右の筋肉に沿うように各々押圧部材８が配され、脚の左右の腱を保護することとなる。本実施の形態の袋Ｐ２を有する丸編みサポータＺ２は、サポータ本体１に二つの袋Ｐ２が取り付けられ、この二つの袋Ｐ２に各々押圧部材８が入れられている。
上記押圧部材８としては、例えばコイルバネを扁平な棒形状とした部品（商品名がコイルボーン）を使用することができ、この場合には、各々押圧部材８が脚の左右の筋肉の動きに追従して「く」の字形状等に変形容易であることから、第２の実施形態の袋Ｐ２の形状を第１の実施形態の袋Ｐ１と同様に、略長方形状（略台形状）とする。また、押圧部材８が押圧部材８よりも小さな袋Ｐ２に入れられているので、押圧部材８の位置がずれるようなこともない。各々の袋Ｐ２の伸縮性は押圧部材８を収納して変形容易とさせる程度の伸縮性があれば足りる。丸編みサポータＺ２の伸縮性は、サポータ本体１の伸縮性とほぼ等しくなる。
なお、図６（ａ）（ｂ）では、パッド６も上述したように収納されている状態を例示しているが、本実施の形態ではパッド６はなくても良い。
【００２６】
上述の丸編み機では、サポータ本体１から二つの袋Ｐ２を製造することができ、その袋Ｐ２の伸縮性をサポータ本体１と異ならせたり、袋Ｐ２を二重にしている。上述の丸編み機によれば、袋Ｐ２はいくつでも又大きさを自由に変えて形成可能である。
【００２７】
本実施の形態では、上記二つの袋Ｐ２は、各々その開口部Ｐａをサポータ本体１の互いの生地１ｃを縫合させているが、この開口部Ｐａ以外はサポータ本体１とは連結されていないので、上記二つの各々の袋Ｐ２の伸縮性は確保される。つまり押圧部材８をその目的とする押圧力（加圧力）で身体の所定箇所（左右の腱）を加圧することができる。一方、サポータ本体１もその目的とする伸縮力を袋Ｐ２とは別に設定できるので、袋Ｐ２を有するがゆえに加圧力が弱くなるというようなことは生じ難くなる。なお、袋Ｐ２の生地Ｐｃを縫合させることでサポータ本体１の伸縮性に影響を与えないようにすることも可能である。
【００２８】
（第３の実施形態）
図８は、スキー用ジャケットＺ３に本発明を適用した斜視図であり、図９は、このスキー用ジャケットＺ３の模式的な断面図である。本実施の形態では、スキー用ジャケットＺ３の肘の部分に収納部品であるパッド９が袋Ｐ３に入れて配されている。なお、スキー用ジャケットＺ３の腕５の部分（製品本体４）は、上記丸編み機で筒状に形成されるもので、つまり二重の内側の製品本体４として形成され、この製品本体４に上記袋Ｐ３も上記丸編み機で連続して作られる。なお、外側６がナイロン素材等の防水機能を有する素材で覆われる。
【００２９】
本実施の形態では、スキー用ジャケットＺ３の腕５の肘部分に袋Ｐ３が設けられている。この袋Ｐ３は、その開口部Ｐａから先端に向かって径が小さくなるポケット状であり、そのポケット状の先端側Ｐｂが製品本体４と一部連結されている。そして、このポケット状の袋Ｐ３にパッド９が入れられている。本実施の形態のパッド９は、サポータのように伸縮性を強くするようにしたものではなく、転倒したときの人体への衝撃を緩和する緩衝用であることが主な役割であり、袋Ｐ３に余裕をもって入れられていても問題はない。したがって、袋Ｐ３の先端側Ｐｂが製品本体４と一部連結されていても、製品本体４の符号Ｙ方向での伸縮性に与える影響はほとんどない。なお、製品本体４の符号Ｘ方向での伸縮性に与える影響もないということができる程である。
【００３０】
（他の実施例１）
図１０は、本発明の第１の実施形態の袋を有する丸編みサポータの他の実施例を示す斜視図である。ここで同質の部材については、同一の符号を付すことでその説明を一部省略する。本実施例は腹巻Ｚ４であり、腹巻Ｚ４の背面側の内側に背骨の左右を保護するためのパッド６が袋Ｐ１に収納されて取り付けられている。本実施例では、腹巻Ｚ４を装着したときに、複数の袋Ｐ１が背骨を間に挟むように所定間隔で左右に配されており、かつ、背骨に沿うように所定間隔で上下に配されることで、背骨の左右を保護する。本実施例では、背骨の左右を保護するためのパッド６が袋Ｐ１に収納されているとしたが、パッド６に代えて、凝りをほぐす磁石や保温剤等の収納部品６を袋Ｐ１に収納してもよい。前記収納部品６として、関節を保護するパッド、筋肉をその外部から押圧する押圧部材、凝りをほぐす磁石、保冷剤、保温剤、消臭剤、抗菌剤、防臭剤、香料等の臭い発散剤のうちのいずれか１種以上とすることができ、これらのうち複数の組み合わせとすることも可能である。
【００３１】
（他の実施例２）
図１１は、本発明の第２の実施形態の袋を有する丸編みサポータの他の実施例を示す斜視図であり、装着状態を示している。ここで同質の部材については、同一の符号を付すことでその説明を一部省略する。本実施例は足首用サポータＺ５であり、足の左右のくるぶしを保護するための１組のパッド６がそれぞれサポータ本体１の側面中央付近の内側に配された左右１組の袋Ｐ１に収納されて取り付けられている。また、足の左右の裏側付近を押圧するための１組の押圧部材８がそれぞれサポータ本体１の側面下側付近の内側に配された左右１組の袋Ｐ２に収納されて取り付けられている。本実施例では、足首用サポータＺ５を装着したときに、複数の袋Ｐ１が左右のくるぶしを保護し、かつ、複数の袋Ｐ２が足の左右の裏側付近を押圧する。
【００３２】
上述した本発明の実施の形態では、サポータＺ１，Ｚ２，Ｚ３，Ｚ４，Ｚ５を例に挙げて説明したが、本発明は、人体の一部を挿通させる入口と出口を有する腹巻・ガードル・サポータ等の丸編みニット製品に広く適用可能であり、スパッツ・ストッキング・パンツ・シャツ等にも本発明を適用することができる。また、袋Ｐ１，Ｐ２，Ｐ３にパッド６や押圧部材８を収納する例で説明したが、遠赤外線効果のある石や磁石等を入れてもよい。このように、本発明は、その趣旨を逸脱しない範囲で適宜変更が可能であることはいうまでもない。
【符号の説明】
【００３３】
Ｚ１，Ｚ２，Ｚ３，Ｚ４，Ｚ５  袋付き丸編みニット製品（袋を有するサポータ）、
１                            製品本体（サポータ本体）、
１ｃ                          サポータ本体の生地（開口部付近の生地）、
６，９                        パッド（収納部品）、
８                            押圧部材（収納部品）、
Ｐ１，Ｐ２，Ｐ３              袋（ポケット状の袋）、
Ｐａ                          袋の開口部、Ｐｂ  袋先端の一部連結箇所、
Ｐｃ                          袋の生地、
Ｎ１，Ｎ２                    縫合部、
Ｎ２                          袋先端の縫合部
【図１】
2011026749.tif 000003
【図２】
2011026749.tif 000004
【図３】
2011026749.tif 000005
【図４】
2011026749.tif 000006
【図５】
2011026749.tif 000007
【図６】
2011026749.tif 000008
【図７】
2011026749.tif 000009
【図８】
2011026749.tif 000010
【図９】
2011026749.tif 000011
【図１０】
2011026749.tif 000012
【図１１】
2011026749.tif 000013